(57)【要約】  【課題】平板部の厚みや固定座脚部の大きさを変えずに、強度を向上させて撓み変形を抑えることができる高架地盤構造を提供する。  【解決手段】四角形の平板部５と、該平板部５の下面側四隅からそれぞれ垂直下側に突出して形成されている４個の固定座脚部６ａ〜６ｄを備え、該固定座脚部６ａ〜６ｄを下側地盤２上に立設されている支持架３上に固定部材８で固定して取り付けられる高架地盤構造４において、一端部側を一方の固定座脚部(６ａまたは６ｃ)に固定し、他端部側を他方の固定座脚部(６ｂまたは６ｄ)に固定するようにして、少なくとも２本の連結杆１０をそれぞれ異なる１対の前記固定座脚部との間(６ａと６ｂとの間、及び６ｃと６ｄとの間)に架設して設けた高架地盤構造。【選択図】図２
0003138343.tif 000002
【実用新案登録請求の範囲】
【請求項１】
四角形の平板部と、該平板部の下面四隅からそれぞれ垂直下側に突出して形成された４個の固定座脚部を備え、該固定座脚部を下側地盤上に立設した支持架上に固定部材で固定して取り付けられる高架地盤構造において、
一端部側を一方の前記固定座脚部に固定し、他端部側を他方の固定座脚部に固定するようにして、少なくとも２本の連結杆をそれぞれ異なる１対の固定座脚部との間に架設して設けたことを特徴とする高架地盤構造。
【請求項２】
上記少なくとも２本の連結杆は、該２本の連結杆が互いに平行に並置された状態で架設していることを特徴とする請求項１記載の高架地盤構造。
【請求項３】
上記２本の連結杆は、該２本の連結杆が互いに交差するようにして対角線で結ばれる異なる上記固定座脚部との間にそれぞれ架設されていることを特徴とする請求項１記載の高架地盤構造。
【請求項４】
上記連結杆は、相隣接する４個の固定座脚部との間にそれぞれ１本ずつ架設し、合計４本設けられてなることを特徴とする請求項１記載の高架地盤構造。
【請求項５】
上記連結杆は、それぞれ対角線で結ばれる異なる２個の上記固定座脚部と間に１本ずつと、相隣接する異なる４個の固定座脚部との間にそれぞれ１本ずつの、合計６本設けられてなることを特徴とする請求項１記載の高架地盤構造。
【請求項６】
上記連結杆の両端部外周面にはナットが螺合されるねじ部を刻設し、上記連結杆の一端部と上記固定座脚部との間、及び前記連結杆の他端部と上記固定座脚部との間を、それぞれ前記ねじ部に前記ナットを螺合させて締着してなることを特徴とする請求項１，２，３，４または５記載の高架地盤構造。
【考案の詳細な説明】
【技術分野】
【０００１】
本考案は高架地盤構造に関するものであり、特に、四角形の平板部と、該平板部の下面四隅からそれぞれ垂直下側に突出して形成されている４個の固定座脚部を備え、該固定座脚部を下側地盤上に立設されている支持架上に固定部材で固定して取り付けられる高架地盤構造に関するものである。
【背景技術】
【０００２】
従来、橋梁や高架道路等の路面において、コンクリート床板地盤でなる下側地盤上に支持脚を立設し、該支持脚上に高架地盤を取り付けてなる人工地盤構造が知られている（例えば、特許文献１参照）。
【０００３】
また、人工地盤構造として、図７に示すような構造も知られている。図７に示す人工地盤構造１０１は、下側地盤１０２上に複数の支持架１０３，１０３，１０３，１０３を立設し、該支持架１０３，１０３，１０３，１０３上に上側地盤１０４を載置した構成になっている。
【０００４】
前記上側地盤１０４は、四角形の平板部１０５と、該平板部１０５の下面四隅からそれぞれ垂直下側に突出して形成されている４個の固定座脚部１０６，１０６，１０６，１０６を備えている。また、相隣接する固定座脚部１０６と１０６の各間には、該相隣接する固定座脚部１０６と固定座脚部１０６にそれぞれ跨る壁状のリブ１０７，１０７，１０７，１０７が設けられている。
【０００５】
そして、固定座脚部１０６，１０６，１０６，１０６を、それぞれ対応する支持架１０３，１０３，１０３，１０３上に載置し、かつ、該固定座脚部１０６，１０６，１０６，１０６と該支持架１０３，１０３，１０３，１０３との間を取付孔１０７から挿入させた固定部材１０８で締着し、該上側地盤１０４を下側地盤１０２上に取り付けている。
【特許文献１】特開平１１−２８００８７号公報。
【考案の開示】
【考案が解決しようとする課題】
【０００６】
上述した図７に示す人工地盤構造は、壁状のリブ１０７を設けることによって、上側地盤１０４における強度の増加と撓み変形の抑制を行っているが、平板部１０５の支持点は４個の固定座脚部１０６，１０６，１０６，１０６が設けられている四隅にあるため、平板部１０５の中央部位に応力を受けた場合に、強度不足で中央が凹むと同時に固定座脚部１０６，１０６，１０６，１０６にスクイーズによる撓み変形が発生し、傾いて倒れる等の破壊に至る虞が生じる。そこで、平板部１０５の板厚を増加させたり、あるいは固定座脚部１０６，１０６，１０６，１０６の大きさを大きくしたりする必要があり、コストアップの原因になっていた。
【０００７】
そこで、平板部の厚みや固定座脚部の大きさを変えずに、強度を向上させて撓み変形を抑えることができる構造とするために解決すべき技術的課題が生じてくるのであり、本考案はこの課題を解決することを目的とする。
【課題を解決するための手段】
【０００８】
本考案は上記目的を達成するために提案されたものであり、請求項１記載の考案は、四角形の平板部と、該平板部の下面四隅からそれぞれ垂直下側に突出して形成された４個の固定座脚部を備え、該固定座脚部を下側地盤上に立設した支持架上に固定部材で固定して取り付けられる高架地盤構造において、一端部側を一方の前記固定座脚部に固定し、他端部側を他方の固定座脚部に固定するようにして、少なくとも２本の連結杆をそれぞれ異なる１対の固定座脚部との間に架設して設けた高架地盤構造を提供する。
【０００９】
この構成によれば、固定座脚部との間に架設された２本の連結杆が補強部材となり、平板部及び固定座脚部間にスクイーズによる撓み変形が起きると該連結杆がアーチ状に変形され、該連結杆の変形で固定座脚部間に加わる応力をそれぞれ分散・吸収することができる。
【００１０】
請求項２記載の考案は、上記少なくとも２本の連結杆は、該２本の連結杆が互いに平行に並置された状態で架設している高架地盤構造を提供する。
【００１１】
この構成によれば、平行に並置して取り付けられた２本の連結杆が補強部材となり、平板部及び固定座脚部間にスクイーズによる撓み変形が起きると該連結杆がアーチ状に変形され、該連結杆の変形で該連結杆が並置されている方向に加わる応力をそれぞれ分散・吸収することができる。
【００１２】
請求項３記載の考案は、上記２本の連結杆は、該２本の連結杆が互いに交差するようにして対角線で結ばれる異なる上記固定座脚部との間にそれぞれ架設されている高架地盤構造を提供する。
【００１３】
この構成によれば、対角線で結ばれ互いに交差するように配置された２本の連結杆が補強部材となり、平板部及び固定座脚部間にスクイーズによる撓み変形が起きると該連結杆がアーチ状に変形され、該連結杆の変形で該連結杆が架設されている固定座脚部に加わる応力をそれぞれ分散・吸収することができる。
【００１４】
請求項４記載の考案は、相隣接する４個の固定座脚部との間にそれぞれ１本ずつ架設し、合計４本設けられてなる高架地盤構造を提供する。
【００１５】
この構成によれば、相隣接する４個の固定座脚部の間にそれぞれ１本ずつ配置された４本の連結杆が補強部材となり、平板部及び固定座脚部間にスクイーズによる撓み変形が起きると該連結杆がアーチ状に変形され、該連結杆の変形でＸ−Ｙ方向に加わる応力をそれぞれ分散・吸収することができる。
【００１６】
請求項５記載の考案は、上記連結杆は、それぞれ対角線で結ばれる異なる２個の上記固定座脚部と間に１本ずつと、相隣接する異なる４個の固定座脚部との間にそれぞれ１本ずつの、合計６本設けられてなる高架地盤構造を提供する。
【００１７】
この構成によれば、互いに交差するように配置された２本の連結杆と、相隣接する４個の固定座脚部の間にそれぞれ１本ずつ配置された４本の連結杆の、合計６本の連結杆が補強部材となり、平板部及び固定座脚部間にスクイーズによる撓み変形が起きると該連結杆がアーチ状に変形され、連結杆の変形により対角線で向き合う固定座脚部との間に加わる応力、及びＸ−Ｙ方向に加わる応力をそれぞれ分散・吸収することができる。
【００１８】
請求項６記載の考案は、上記連結杆の両端部外周面にはナットが螺合されるねじ部を刻設し、上記連結杆の一端部と上記固定座脚部との間、及び前記連結杆の他端部と上記固定座脚部との間を、それぞれ前記ねじ部に前記ナットを螺合させて締着してなる高架地盤構造を提供する。
【００１９】
この構成によれば、連結杆のねじ部にナットを螺合締着させて、該連結杆を固定座脚部に取り付けることができる。
【考案の効果】
【００２０】
請求項１記載の考案は、連結杆が固定座脚部間に加わる応力を分散・吸収するので、平板部及び固定座脚部の実効強度が向上し、平板部と固定座脚部の撓み変形を極力抑えることができる。
【００２１】
請求項２記載の考案は、平行に並置して取り付けられた２本の連結杆が固定座脚部間に加わる応力を分散・吸収して実効強度を向上させることができるので、請求項１記載の考案の効果に加えて、特に連結杆が並置されている方向へ働く応力に対する平板部と固定座脚部の撓み変形を極力抑えることができる。
【００２２】
請求項３記載の考案は、互いに交差するように配置された２本の連結杆が、対角線で向き合う固定座脚部との間に加わる応力を分散・吸収して実効強度を向上させることができるので、請求項１記載の考案の効果に加えて、特に対角線方向に働く応力に対する平板部と固定座脚部の撓み変形を極力抑えることができる。
【００２３】
請求項４記載の考案は、相隣接する４個の固定座脚部の間にそれぞれ１本ずつ配置された４本の連結杆がＸ−Ｙ方向に加わる破壊力を分散・吸収して実効強度を向上させることができるので、請求項１記載の考案の効果に加えて、Ｘ−Ｙ方向に加わる平板部と固定座脚部の撓み変形を極力抑えることができる。
【００２４】
請求項５記載の考案は、対角線で結ばれ互いに交差するように配置された２本の連結杆と相隣接する４個の固定座脚部の間にそれぞれ１本ずつ配置された４本の連結杆が、該連結杆が対角線で向き合う固定座脚部との間に加わる応力、及びＸ−Ｙ方向に加わる応力を分散・吸収して実効強度を向上させることができるので、請求項１記載の考案の効果に加えて、Ｘ−Ｙ方向に加わる平板部と固定座脚部の撓み変形を抑えることができる。
【００２５】
請求項６記載の考案は、連結杆のねじ部にナットを螺合させて、該連結杆を固定座脚部に取り付けることができるので、請求項１，２，３，４または５記載の考案の効果に加えて、固定脚部と連結杆の組立作業を簡単することができる。
【考案を実施するための最良の形態】
【００２６】
平板部の厚みや固定座脚部の太さを変えずに、強度を向上させて撓み変形を抑える構造にするという目的を達成するために、四角形の平板部と、該平板部の下面四隅からそれぞれ垂直下側に突出して形成された４個の固定座脚部を備え、該固定座脚部を下側地盤上に立設した支持架上に固定部材で固定して取り付けられる高架地盤構造において、一端部側を一方の前記固定座脚部に固定し、他端部側を他方の固定座脚部に固定するようにして、少なくとも２本の連結杆をそれぞれ異なる１対の固定座脚部との間に架設して設けたことにより実現した。
【実施例】
【００２７】
以下、本考案の高架地盤構造について、好適な実施例をあげて説明する。図１は、本考案の第１実施例に係る高架地盤構造を適用した人工地盤構造を示す斜視図である。図１において、人工地盤構造１は、下側地盤２上に複数の支持架３，３…を立設し、該支持架３，３…上に上側地盤である本考案の高架地盤４を載置した構造をなしている。
【００２８】
前記高架地盤４は、四角形の平板部５と、該平板部５の下面側四隅からそれぞれ垂直下側に突出して形成されている４個の固定座脚部６ａ，６ｂ，６ｃ，６ｄを備えている。そして、該高架地盤４は、固定座脚部６ａ，６ｂ，６ｃ，６ｄをそれぞれ対応する支持架３，３，３，３上に載置し、かつ、該固定座脚部６ａ，６ｂ，６ｃ，６ｄと該支持架３，３，３，３との間を高架地盤４に設けた取付孔７を通って下側地盤２に締着される固定部材８，８，８，８により、下側地盤２上に固定して取り付けられている。
【００２９】
さらに、前記高架地盤４には、図２及び図３に示しているように、平板部５の下面側にＸ−Ｙ方向に延ばして枡目状に形成されている複数の壁状をしたリブ９，９…を、平板部５及び固定座脚部６ａ，６ｂ，６ｃ，６ｄと一体に設けている。なお、固定座脚部６ａ，６ｂ，６ｃ，６ｄは、下端面がそれぞれ開口された断面略矩形状の筒状体として形成され、リブ７，７…よりも下側に大きく突出して設けられている。また、相隣接する１対の固定座脚部６ａと６ｂの間、及び固定座脚部６ｃと６ｄの間にそれぞれ棒状をした連結杆１０，１０を架設し、該２本の連結杆１０，１０が互いに平行な状態で並置されている。
【００３０】
前記各連結杆１０，１０の両端部には、それぞれナット１１が螺合されるねじ部１０ａ，１０ａを設けている。そして、一方の連結杆１０は、その両端ねじ部１０ａ，１０ａをそれぞれ取付孔１２，１２に通して固定座脚部６ａ，６ｂ内へ挿入するとともに、固定座脚部６ａ，６ｂの下端面開口から該固定座脚部６ａ，６ｂ内にナット１１を挿入し、該ナット１１をねじ部１０ａ，１０ａに螺合、かつ、締着することにより固定座脚部６ａ，６ｂに固定して取り付けられている。他方の連結杆１０は、その両端ねじ部１０ａ，１０ａをそれぞれ取付孔１２，１２に通して固定座脚部６ｃ，６ｄ内へ挿入するとともに、固定座脚部６ｃ，６ｄの下端面開口から該固定座脚部６ｃ，６ｄ内にナット１１を挿入し、該ナット１１をねじ部１０ａ，１０ａに螺合、かつ、締着して固定座脚部６ａ，６ｂに取り付けられている。
【００３１】
このように構成された高架地盤４では、上方から応力を受けて平板部５及び固定座脚部６ａ，６ｂ，６ｃ，６ｄにスクイーズによる撓み変形が起きると、連結杆１０，１０がアーチ状に変形されて、該連結杆１０，１０の変形で応力を分散、吸収するので、平板部５及び固定座脚部６ａ，６ｂ，６ｃ，６ｄの実効強度が向上し、平板部５と固定座脚部６ａ，６ｂ，６ｃ，６ｄの撓み変形を極力抑えることができる。
【００３２】
図４は本発明に係る高架地盤４の第２実施例を示す。この第２実施例における高架地盤４は、２本の連結杆１０，１０を、互いに交差させて対角位置に設けられている固定座脚部６ａと６ｃの間と、同じく対角位置に設けられている固定座脚部６ｂと６ｄの間にそれぞれ架設したものであり、他の構成は図１〜図３と同一であるから、同一の構成部分は同一符号を付して重複説明を省略する。
【００３３】
この第２実施例の構造では、互いに交差して配置された２本の連結杆１０，１０が補強部材となり、平板部５及び固定座脚部６ａと６ｃの間と、６ｂと６ｄの間にスクイーズによる撓み変形が起きると、該連結杆１０，１０がアーチ状に変形されて、該連結杆１０，１０の変形により、対角線で向き合う固定座脚部６ａと６ｃの間と固定座脚部６ｂと６ｄとの間に加わる応力をそれぞれ分散、吸収するので、平板部５及び固定座脚部６ａ，６ｂ，６ｃ，６ｄの実効強度が向上し、平板部５と固定座脚部６ａ，６ｂ，６ｃ，６ｄの撓み変形を極力抑えることができる。
【００３４】
図５は本発明に係る高架地盤４の第３実施例を示す。この第３実施例における高架地盤４は、相隣接する４個の固定座脚部、すなわち固定座脚部６ａと６ｂ、固定座脚部６ｂと６ｃ、固定座脚部６ｃと６ｄ、固定座脚部６ｄと６ａとの間に連結杆１０をそれぞれ１本ずつ架設し、合計４本の連結杆１０，１０，１０，１０を矩形状に配置させて設けたものであり、他の構成は図１〜図３と同一であるから、同一の構成部分は同一符号を付して重複説明を省略する。
【００３５】
この第３実施例の構造では、相隣接する４個の固定座脚部の間にそれぞれ１本ずつ配置された４本の連結杆１０，１０，１０，１０が補強部材となり、平板部５及び固定座脚部６ａと６ｂ、６ｂと６ｃ、６ｃと６ｄ、６ｄと６ａとの間にスクイーズによる撓み変形が起きると、該連結杆１０，１０，１０，１０がアーチ状に変形されて、該連結杆１０，１０，１０，１０の変形でＸ−Ｙ方向に加わる応力をそれぞれ分散、吸収するので、平板部５及び固定座脚部６ａ，６ｂ，６ｃ，６ｄの実効強度が向上し、平板部５と固定座脚部６ａ，６ｂ，６ｃ，６ｄの撓み変形を極力抑えることができる。
【００３６】
図６は本発明に係る高架地盤４の第４実施例を示す。この第４実施例における高架地盤４は、相隣接する４個の固定座脚部、すなわち固定座脚部６ａと６ｂ、固定座脚部６ｂと６ｃ、固定座脚部６ｃと６ｄ、固定座脚部６ｄと６ａの各間にそれぞれ連結杆１０を架設するとともに、対角位置に設けられている固定座脚部６ａと６ｃの間と、同じく対角位置に設けられている固定座脚部６ｂと６ｄの間に互いに交差するようにしてそれぞれ連結杆１０を架設し、該高架地盤４に合計６本の連結杆１０，１０…を設けたものであり、他の構成は図１〜図５と同一であるから、同一の構成部分は同一符号を付して重複説明を省略する。
【００３７】
この第４実施例の構造では、相隣接する４個の固定座脚部６ａ，６ｂ，６ｃ，６ｄの各間にそれぞれ１本ずつ配置された４本の連結杆１０，１０，１０，１０と、互いに交差して配置された２本の連結杆１０，１０の、合計６本の連結杆１０が補強部材となり、平板部５及び固定座脚部６ａと６ｂ、６ｂと６ｃ、６ｃと６ｄ、６ｄと６ａとの間にスクイーズによる撓み変形が起きると、該連結杆１０，１０，１０，１０がアーチ状に変形されて、該連結杆１０，１０，１０，１０の変形でＸ−Ｙ方向に加わる応力をそれぞれ分散・吸収するので、平板部５及び固定座脚部６ａ，６ｂ，６ｃ，６ｄの実効強度が向上し、平板部５と固定座脚部６ａ，６ｂ，６ｃ，６ｄの撓み変形を極力抑えることができる。
【００３８】
なお、本考案は、本考案の精神を逸脱しない限り種々の改変を為すことができ、そして、本考案が該改変されたものに及ぶことは当然である。
【図面の簡単な説明】
【００３９】
【図１】本考案の第１実施例に係る高架地盤構造を適用した人工地盤構造を示す斜視図。
【図２】第１実施例に係る高架地盤構造の斜視図。
【図３】図２のＡ−Ａ線断面図。
【図４】第２実施例に係る高架地盤構造の斜視図。
【図５】第３実施例に係る高架地盤構造の斜視図。
【図６】第４実施例に係る高架地盤構造の斜視図。
【図７】従来の高架地盤構造を適用した人工地盤構造を示す斜視図。
【符号の説明】
【００４０】
１      人工地盤
２      下側地盤
３      支持架
４      高架地盤
５      平板部
６ａ〜６ｂ    固定座脚部
７      取付孔
８      固定部材
９      リブ
１０    連結杆
１０ａ  ねじ部
１１    ナット
１２    取付孔
【図１】
0003138343.tif 000003
【図２】
0003138343.tif 000004
【図３】
0003138343.tif 000005
【図４】
0003138343.tif 000006
【図５】
0003138343.tif 000007
【図６】
0003138343.tif 000008
【図７】
0003138343.tif 000009